(57)【要約】【課題】近年のファンデーションのソフト化に対応することができ、バストを引き寄せるファンデーション機能や、ヒップを引き上げる機能、あるいは腹部を押える機能などの所定の機能を発揮しつつ、商品がハード化するのを防止し、着用感に優れ且つアウターのシルエットを損ねることがないブラジャー等のファンデーションを主とした基礎衣料を提供することを課題とする。【解決手段】人体の膨出部に着用され、当該人体の膨出部に作用する機能が付加された基礎衣料において、前記基礎衣料の人体膨出部に対応した位置に装着される布状部材には、少なくとも１本のテープ体を配置して、当該テープ体によって前記人体膨出部に作用する補正力を発揮させるように構成して課題を解決した。【選択図】図１
2007162146.tif 000002
【特許請求の範囲】
【請求項１】
人体の膨出部に着用され、当該人体の膨出部に作用する機能が付加された基礎衣料において、
前記基礎衣料の人体膨出部に対応した位置に装着される布状部材には、少なくとも１本のテープ体を配置して、当該テープ体によって前記人体膨出部に作用する補正力を発揮させるように構成したことを特徴とする基礎衣料。
【請求項２】
前記基礎衣料の人体膨出部に対応した位置に装着される布状部材を、その表面側が凹となる形状に形成したことを特徴とする請求項１に記載の基礎衣料。
【請求項３】
前記基礎衣料の人体膨出部に対応した位置に装着される布状部材には、その対向する一対の端縁を互いに連結する少なくとも１本のテープ体を設け、当該布状部材の対向する一対の端縁に対して、テープ体によって引き寄せる力を作用させたことを特徴とする請求項１又は２に記載の基礎衣料。
【請求項４】
前記基礎衣料の人体膨出部に対応した位置に装着される布状部材には、少なくとも１本のテープ体の一端部を連結するとともに、当該テープ体を所定の位置に配置された挿通部材に挿通して折り返し、前記テープ体の他端部を前記基礎衣料の一部に固定したことを特徴とする請求項１乃至３のいずれかに記載の基礎衣料。
【請求項５】
前記基礎衣料は、左右のバスト部を個別に且つ二重に覆う左右の表側身頃体と左右の内側身頃体とを備え、
前記左右の内側身頃体の人体中央部側には、テープ体の一端部をそれぞれ連結するとともに、当該テープ体を人体中央部に配置された挿通部材に挿通して、人体両側部に向けて折り返し、前記テープ体の他端部を人体の背面中央部の位置で折り返した状態で連結するか、又は前記左右の表側身頃体にそれぞれ固定したことを特徴とする請求項１乃至４のいずれかに記載の基礎衣料。
【請求項６】
前記左右の表側身頃体をテープ体によって人体の側面に向けて移動させることによって、前記左右の内側身頃体を互いに体の中央部に引き寄せるように構成したことを特徴とする請求項５に記載の基礎衣料。
【発明の詳細な説明】
【技術分野】
【０００１】
この発明は、ブラジャー、ブラスリップ、ボディスーツ、ブラキャミやガードルあるいはサポーター等の基礎衣料に関し、特にデザインされたパターンとテープ体の組み合わせにより創設される新たな機能を備えたファンデーション等のボディライクな女性用衣料を主とした基礎衣料に関するものである。
【背景技術】
【０００２】
【特許文献１】特許第２９８７０９１号公報
【０００３】
従来、この種のブラジャー等のファンデーションにおいては、現代女性の美的シルエットを高める機能として、例えば、バストを引き寄せるファンデーション機能を有することが重要となっている。
【０００４】
かかるブラジャー等のファンデーションにおいて、バストを引き寄せるファンデーション機能を発揮させるために、バストの側面を中央に引き寄せる三次元的な力線を直接創出することは、現実的に困難である。そこで、上記ブラジャー等のファンデーションでは、バストの側面を中央に引き寄せる三次元的な力線を創出する代わりに、バストの側面に位置するパーツを厚くしたり、バストの側面に位置するパーツの剛性を高めたりする等のデザイン的な意図が図られているのが現状である。
【０００５】
このような意図の下、本出願人は、特許第２９８７０９１号公報に開示されているように、バストカップを構成する芯体または本体のバストカップ斜め上半分を表面側に凸とした形状で成形するとともに、同芯体または本体のバストカップの残りの斜め下半分を表面側が凹となる形状で成形し、前記上半分と下半分の芯体または本体を接合し、さらに前記凸部を形成する部分には伸びる素材を使用し、前記凹部を形成する部分には伸びない素材を使用して構成したことを特徴とするブラジャー等のバストカップ構造を、既に提案している。
【０００６】
また、上記ブラジャー等のファンデーションでは、バスト基底部の外周を固定するボーンを基礎として、バストを包含するカップ部の必要部分を固定化させることにより、ボーンの剛性を利用して人体のバスト容積を中央に移動させ、バストを引き寄せるファンデーション機能を発揮させるように構成したものも、既に種々提案されている。
【発明の開示】
【発明が解決しようとする課題】
【０００７】
しかし、上記従来技術の場合には、次のような問題点を有している。すなわち、上記従来のブラジャー等のファンデーションの場合には、バストの側面を構成するパーツや、バスト基底部の外周を固定するボーン、あるいはバストカップ部等の部分を構成するパーツを設計することによって、バストを引き寄せるファンデーション機能を間接的に発揮させるように構成したものである。
【０００８】
ところが、上記従来のブラジャー等のファンデーションの場合には、これらの商品を構成する素材が、原則として繊維によって編まれた布地や繊維によって織られた布地で構成されている。そのため、上記ファンデーションを構成する布地には、バストの側面に位置するパーツを厚くしたり、バストの側面に位置するパーツの剛性を高めたりする目的で、不織布やウレタンフォーム等のシート体からなる芯材を当てがって補強せざるを得ず、商品がハード化してしまい、着用感を損ねたり、アウターのシルエットを損ねてしまうという問題点を有していた。
【０００９】
更に説明すると、上記従来のブラジャー等のファンデーションにおいては、バストのシルエットを高めるための製品として、ブラジャーカップ部においてバスト側面の剛性を高める機能をデザインするものとし、上述した特許第２９８７０９１号公報に開示されているように、「乳房側面裏側に伸縮性の少ない当布（厚味のあるもの）を配設することによってバストカップ内面を凸状化させ、バスト容積の減少を図ることにより、バストの移動を試みる」方法が取られているが、その大半はバストカップ部が支柱を持たない円錐体である以上、容積の移動を試みるための当該容量は、バストカップ体の歪みとなって円錐体の横への膨張となってしまい、着用感を損ねたり、アウターのシルエットを損ねてしまうことになるのである。
【００１０】
また、上記従来のブラジャー等のファンデーションの場合には、バスト基底部の外周を固定するボーンを基礎として、バストを包含するカップ部の必要部分を固定化させると、ボーンの採用が必須となり、近年のファンデーションのソフト化に反し、着用感を損ねるという問題点を有していた。
【００１１】
なお、上述した問題点は、バストを引き寄せるファンデーション機能が要求されるブラジャー以外に、ガードルやサポーター等を広く含めた基礎衣料においても、ヒップを引上げる機能や、腹部を押える機能などが要求されているが、同様に着用感を損ねたり、アウターのシルエットを損ねてしまうという問題点として有している。
【００１２】
そこで、この発明は、上記従来技術の問題点を解決するためになされたものであり、その目的とするところは、近年のファンデーションのソフト化に対応することができ、バストを引き寄せるファンデーション機能や、ヒップを引き上げる機能、あるいは腹部を押える機能などの所定の機能を発揮しつつ、商品がハード化するのを防止し、着用感に優れ且つアウターのシルエットを損ねることがないブラジャー等のファンデーションを主とした基礎衣料を提供することにある。
【課題を解決するための手段】
【００１３】
上記目的を達成するため、請求項１に記載された発明は、人体の膨出部に着用され、当該人体の膨出部に作用する機能が付加された基礎衣料において、
前記基礎衣料の人体膨出部に対応した位置に装着される布状部材には、少なくとも１本のテープ体を配置して、当該テープ体によって前記人体膨出部に作用する補正力を発揮させるように構成したことを特徴とする基礎衣料である。
【００１４】
また、請求項２に記載された発明は、前記基礎衣料の人体膨出部に対応した位置に装着される布状部材を、その表面側が凹となる形状に形成したことを特徴とする請求項１に記載の基礎衣料である。
【００１５】
さらに、請求項３に記載された発明は、前記基礎衣料の人体膨出部に対応した位置に装着される布状部材には、その対向する一対の端縁を互いに連結する少なくとも１本のテープ体を設け、当該布状部材の対向する一対の端縁に対して、テープ体によって引き寄せる力を作用させたことを特徴とする請求項１又は２に記載の基礎衣料である。
【００１６】
又、請求項４に記載された発明は、前記基礎衣料の人体膨出部に対応した位置に装着される布状部材には、少なくとも１本のテープ体の一端部を連結するとともに、当該テープ体を所定の位置に配置された挿通部材に挿通して折り返し、前記テープ体の他端部を前記基礎衣料の一部に固定したことを特徴とする請求項１乃至３のいずれかに記載の基礎衣料である。
【００１７】
ここで、上記テープ体としては、複数本のテープ体を用い、これら複数本のテープ体のうち、少なくとも２本のテープ体の伸張率又は長さを異ならせるように構成しても良い。
【００１８】
更に、請求項５に記載された発明は、前記基礎衣料は、左右のバスト部を個別に且つ二重に覆う左右の表側身頃体と左右の内側身頃体とを備え、
前記左右の内側身頃体の人体中央部側には、テープ体の一端部をそれぞれ連結するとともに、当該テープ体を人体中央部に配置された挿通部材に挿通して、人体両側部に向けて折り返し、前記テープ体の他端部を人体の背面中央部の位置で折り返した状態で連結するか、又は前記左右の表側身頃体にそれぞれ固定したことを特徴とする請求項１乃至４のいずれかに記載の基礎衣料である。
【００１９】
ここで、上記テープ体の他端部を人体の背面中央部の位置で折り返した状態で連結する際に、Ｏ状又はＵ状のリング等を以って連結するように構成しても良い。
【００２０】
また、請求項６に記載された発明は、前記左右の表側身頃体をテープ体によって人体の側面に向けて移動させることによって、前記左右の内側身頃体を互いに体の中央部に引き寄せるように構成したことを特徴とする請求項１乃至４のいずれかに記載の基礎衣料である。
【００２１】
この発明は、基本的に、それほど剛性を必要としないストレッチ乃至エラスチック素材を、原則として芯材を当てずに、基礎衣料の人体膨出部に対応した位置に装着される布状部材を構成し、当該布状部材によってハード化を防止しつつ、バストを引き寄せるファンデーション機能や、ヒップを引き上げる機能、あるいは腹部を押える機能などの所定の機能を発揮させ、無理のないコントロール量をデザインするものである。上記エラスチック素材等には、コントロール限界点の少なくとも３０％の余力を持たせ、当該レベルからコントロール力を発揮するテープ体をデザイン配設してなるファンデーション等のボディライクな基礎衣料である。
【００２２】
この発明の基礎衣料としての製品並びに着用部位は、バストの側面を押さえる又はバスト側面を中央に引き寄せる、ヒップを引き上げる、腹部を押さえる等であるが、これに限らず、患部をサポートするサポーター等としても適用できるものである。
【発明の効果】
【００２３】
この発明によれば、近年のファンデーションのソフト化に対応することができ、バストを引き寄せるファンデーション機能や、ヒップを引き上げる機能、あるいは腹部を押える機能などの所定の機能を発揮しつつ、商品がハード化するのを防止し、着用感に優れ且つアウターのシルエットを損ねることがないブラジャー等のファンデーションを主とした基礎衣料を提供することができる。
【発明を実施するための最良の形態】
【００２４】
以下に、この発明の実施の形態について図面を参照して説明する。
【００２５】
実施の形態１
図１はこの発明の実施の形態１に係る基礎衣料としてのブラジャーを示す構成図である。
【００２６】
図１において、１はブラジャーを示すものであり、このブラジャー１は、女性の人体の左右のバストを覆う布状部材としてのバストカップクロス２、３と、これら左右のバストカップクロス２、３の体側寄りに位置する布状部材としてのバストカップサイドクロス４、５と、当該バストカップサイドクロス４、５の背面側に配設され、左右のバストカップサイドクロス４、５を互いに連結する布状部材としてのバッククロス６、７とから構成されている。また、上記左右のバストカップクロス２、３の上端部には、ストラップ８、９がそれぞれ縫着されている。なお、上記左右のバッククロス６、７の先端部は、図示しないフックやアイ等によって互いに連結されるように構成されている。なお、上記バストカップクロス４等の人体右側の部分は、図面に現れていないため、人体左側の部分に符号を括弧で付して図示を省略している。
【００２７】
上記ブラジャー１を構成する布状部材としては、種々の素材を使用することができるが、原則として、伸縮率の高いエラスチック（弾性）素材によって左右のバストカップサイドクロス４、５が形成されている。また、上記左右のバストカップサイドクロス４、５には、原則として、芯材を当てないように構成されている。上記バストカップサイドクロス４、５としては、例えば、肌あたりを高めるサテン調ハイゲージの編地、人体に抵抗感を和らげるハイゲージトリコット編地、逆に通気性を高める細デニール糸使いのメッシュ地、吸汗性を高める裏綿構成のリバーシブル地等で、必ずしも編地でなくとも良いが、原則として、ポリウレタン糸等を編み込んだストレッチ素材が用いられる。
【００２８】
上記バストカップクロス２、３の人体の中央部は、バストの谷間に位置するトップバストラインセンタ部１０となっているとともに、当該バストカップクロス２、３の最も高い部分は、トップバストラインバストトップ部１１、１２となっている。また、上記バストカップサイドクロス４、５の部分には、破線で示すように、トップバストラインバストサイド部１３、１４が位置しており、対応する左右のバストカップサイドクロス４、５には、トップバストラインを構成するアームピット部１５、１６が位置している。
【００２９】
また、上記ブラジャー１には、バストのシルエット性を高めるため、バストサイドを押えて人体中央部に寄せる機能が設定されている。上記バストカップクロス２、３の前中央上部２ａ、３ａは、上述するように、バストカップクロス２、３によって押圧されたバスト容量が逃げるように、バストの中央上部が露出する形状に形成されており、常にバストカップサイドクロス４、５をその表面側が凹状となるように保持するような力線を発生させるように構成されている。
【００３０】
つまり、バストカップは、バスト両サイドを構成するパーツであるバストカップクロス２、３によって、バストをバストカップ上縁中心部に移動させることから、斜め下縁はバストを押圧するよう固定化することは好ましいが、これに対比する斜め上縁は、移動させるバストを押圧させない素材及びパターン構成が望ましい。よって、上記バストカップクロス２、３の前中央上部２ａ、３ａは、特にバスト容量が逃げられるように、フレキシブルにするか、又は３／４カップとしてバストを押えないように構成するのが望ましい。
【００３１】
更に説明すると、上記ブラジャー１は、図２に示すように、バストカップサイドクロス４、５の対向する両端縁４１、４２、５１、５２が、内側に向けて湾曲した凹形状になるように破線部分１７、１８が裁断されており、当該バストカップクロス４、５の両端縁４１、４２、５１、５２を直線状に裁断されたバストカップクロス２、３の端縁２１，３１及びバッククロス６、７の端縁６１、７１と縫着することによって、バストカップクロス２、３の断面形状が、図３に示すように、人体側に向けて表面側が凹状となるように形成されている。なお、上記バストカップクロス２、３の端縁２１，３１及びバッククロス６、７の端縁６１、７１は、必ずしも直線状に裁断されている必要はなく、凹形状となるように裁断されていても良い。
【００３２】
上記バストカップクロス２、３の三ヶ月形状に裁断された部分１７、１８の形状は、ブラジャー１を構成する布状部材の素材や、補正力の設定によって適宜設定される。
【００３３】
また、上記バストカップサイドクロス４、５の表面には、図４に示すように、一端縁４１、５１から他端縁４２、５２に向けて複数本のテープ体８１、８２が互いに交差するように配設されている。これらの複数本のテープ体８１、８２は、一方のテープ体８１又は８２が下側に、他方のテープ体８２又は８１が上側に位置するように配設しても、あるいは両者が交互に交差するように配設しても良い。上記バストカップクロス２、３の一端縁２１、３１には、その下端部から中央部に掛けて、複数本のテープ体８２の端部８１ａが一定の間隔を隔てて縫着されており、当該複数本のテープ体８１は、バストカップサイドクロス４、５の表面に沿って互いに平行に配設されているとともに、その他端部８１ｂは、バッククロス６、７の他端縁６１、７１の中央部の下方から上端部に掛けて縫着されている。
【００３４】
さらに、上記バストカップクロス２、３の一端縁２１、３１には、その中央部から上端部に掛けて、複数本のテープ体８２の端部８２ａが一定の間隔を隔てて縫着されており、当該複数本のテープ体８２は、バストカップクロス４、５の表面に沿って互いに平行に配設されているとともに、その他端部８２ｂは、バッククロス６、７の他端縁６１、７１の中央部から下端部に掛けて縫着されている。
【００３５】
上記テープ体８１、８２は、原則として、バストカップサイドクロス４、５を構成する素材よりも伸張力が幾分強い素材か、又はバストカップクロス２、３を構成する素材よりも伸張力が強い素材が用いられる。このテープ体８１、８２としては、例えば、編又は織り組織のテープ体（ダブルラッセル、袋織等を含む）、編又は織り組織の広幅地のカットテープ体、当該広幅地による二次加工テープ体（接着によるバインダー又はカットテープ）、リボン体、組み紐、靴紐等の伸張力が製品身頃より高いことが前提となるが、目的によってはストレッチ性が無い素材を用いても良い。また、形状は、より扁平でフラットなシルエットに影響を与えない厚みであることが基本となるが、マカロニ形状であっても良い。また、上記テープ体８１、８２としては、上述したように、ストレッチ性が無い素材を用いてもよく、又、当該テープ体８１、８２がブラジャー１の装飾を兼ねるように構成しても良い。
【００３６】
また、上記バストカップサイドクロス４、５を構成する素材としては、原則として、伸張率が高い素材や、伸張率が低い素材が用いられるが、伸張しない素材を用いても良い。ただし、上記バストカップサイドクロス４、５を構成する素材としては、伸張しない素材を用いた場合には、テープ体８１、８２として伸張率及び伸張力が共に高い素材を用いることが望ましい。
【００３７】
なお、上記テープ体８１、８２としては、帯状のテープ体以外に、ループ状に形成されたテープ体を用いても良い。
【００３８】
以上の構成において、この実施の形態に係るブラジャーでは、次のようにして、近年のファンデーションのソフト化に対応することができ、バストを引き寄せるファンデーション機能を発揮しつつ、商品がハード化するのを防止し、着用感に優れ且つアウターのシルエットを損ねることがないようになっている。
【００３９】
すなわち、上記ブラジャー１は、図１及び図３に示すように、バストカップクロス２、３の体側部及びバストカップサイドクロス４、５の断面形状が、凹形状となるように形成されているとともに、複数本のテープ体８１、８２によって、当該バストカップサイドクロス４、５を介して女性のバストＢの体側部を女性の体の中央部に押圧する力が作用するので、図５及び図６に示すように、女性のバストＢを中央部に引き寄せる機能を発揮させることができる。
【００４０】
また、上記ブラジャー１では、バストカップサイドクロス４、５の表面に複数本のテープ体８１、８２を配設するだけで、商品がハード化するのを防止し、着用感が優れ且つアウターのシルエットを損ねることがないようになっている。
【００４１】
このように、上記実施の形態１では、原則として伸縮率の高いエラスチック素材によってバストカップサイドクロス４、５を構成し、かつ複数本のテープ体８１、８２によってバストＢ側面のバストカップサイドクロス４、５の端縁間の距離を縮小化し、さらに当該容量の逃げをバストカップ前中央部２ａ、３ａにデザインすることにより、常にバスト側部を図６に示すように凹状に保とうとする、バスト側部を押圧する力線を発生させることができる。但し、これを１００％要求すると逆にバストシルエットを損なう虞れがあることから、上記の構成に加え、当該マイナス面をカバーするように、上記デザインは個人差のあるバストＢにフレキシブル対応し、且つバストＢの移動を促す範囲に限定するのが望ましい。その上で、本発明の主たるテープ体８１、８２の連動によりシルエットを安定化させることを意図とするものである。
【００４２】
上記テープ体８１、８２の作用としては、図７（ａ）は、当該テープ体８１、８２が作用していないときの本発明による静止断面図であり、図７（ｂ）はバストカップクロス２、３及びバストカップサイドクロス４、５に女性のバストＢが少なくとも7 ０％挿入された結果パターンＣ部がＣ’に拡張した時点を示すものであり、図７（Ｃ）はバストＢが完全に挿入されてＣ’がＣ”に拡張し、テープ体８１、８２が作用してバストＢの圧力によるバストカップの横への膨張を押えた状態を示す作用図である。この実施の形態では、テープ体８１、８２が主にバストＢの圧力によって、当該バストＢがバストカップの横へ膨張するのを押える機能を果たしている。このように、上記ブラジャー１では、近年のファンデーションのソフト化に対応することができ、バストを引き寄せるファンデーション機能を発揮しつつ、商品がハード化するのを防止し、着用感に優れ且つアウターのシルエットを損ねることがないようになっている。
【００４３】
実施の形態２
図８乃至図１１はこの発明の実施の形態２を示すものであり、前記実施の形態１と同一の部分には同一の符号を付して説明すると、この実施の形態２では、基礎衣料として、ブラジャーではなく、腹部やヒップ部を押さえるガードルに適用するように構成したものである。上記ガードルにおけるテープ体は、構成する領域が広いことから、テープ体一本一本の位置によって伸張力（伸張率）を変えたテープ体をデザインすることが好ましい。
【００４４】
すなわち、この実施の形態２では、図８に示すように、ガードル９０の腹部９１に配置される布状部材９２、９３を、体の中心線に沿って左右２つに分割し、当該ボデイ前面に位置する左右の布状部材９２、９３の端縁を、それぞれ内側に向けて凹形状に裁断し、これらボデイ前面の左右の布状部材９２、９３同士、及び当該左右の布状部材９２、９３とボデイ後面の布状部材９４、９５とを縫着することにより、左右の布状部材９２、９３が体の腹部９１に向けて凹形状となるように構成されている。
【００４５】
また、上記ボデイ前面に位置する左右の布状部材９２、９３の前面には、図８に示すように、例えば、左側の布状部材９２の前面に、ホデイ中央の下腹部からボデイ右側面の脇上部に向けて、斜めに傾斜した３本のテープ体９６が、一定の間隔をおいてその両端部のみが縫着されている。
【００４６】
そして、上記ガードル９０は、図８に示すように、着用した状態で、腹部９１を押える機能などの所定の機能を発揮しつつ、商品がハード化するのを防止し、着用感が優れ且つアウターのシルエットを損ねることがないようになっている。
【００４７】
また、図１０及び図１１に示す実施の形態では、ガードル９０のヒップ部９７に配置される後面の布状部材９４、９５を、体の中心線に沿って左右２つに分割し、当該ボデイ背面に位置する左右の布状部材９４、９５の端縁を、それぞれ内側に向けて凹形状に裁断し、これらボデイ背面の左右の布状部材９４、９５同士、及び当該左右の布状部材９４、９５とボデイ前面の布状部材９２、９３とを縫着することにより、左右の布状部材９４、９５が体のヒップ部９７の下部９７ａに向けて表面が凹形状に突出するように構成されている。
【００４８】
また、上記ボデイ背面に位置する左右の布状部材９４、９５の表面には、図１０及び図１１に示すように、例えば、向かって左側の布状部材９４の前面に、ヒップ部９７の頂部９７ｂからヒップ下部９７ａに向けて、２本のテープ体９８、９９が、Ｕ字形状の挿通部材１００で折り返して横向きのＶ字形状となるように、且つ中央部で交差するようにその両端部のみが縫着されている。
【００４９】
そして、上記ガードル９０は、図１０に示すように、着用した状態で、ヒップ部９７を引き上げる機能を発揮しつつ、商品がハード化するのを防止し、着用感が優れ且つアウターのシルエットを損ねることがないようになっている。
【００５０】
実施の形態３
図１２はこの発明の実施の形態３を示すものであり、前記実施の形態１と同一の部分には同一の符号を付して説明すると、この実施の形態３では、人体の膨出部に着用され、当該人体の膨出部に作用する機能が付加された基礎衣料において、前記基礎衣料の人体膨出部に対応した位置に装着される布状部材には、少なくとも１本のテープ体を配置して、当該テープ体によって前記人体膨出部に作用する補正力を発揮させるように構成されているとともに、左右のカップ部を中央部に引き寄せる作用力が作用するように構成されている。
【００５１】
すなわち、この実施の形態３に係るブラジャー１では、左右のバストを引き寄せる機能は重要であるが、通常、ブラジャー１の構成は、後部身頃にストレッチ性を有する部材を用いることによって、ブラジャー全体のフレキシブル性を持たせているとともに、着脱のフック及びアイが後部に設けられていることから、逆に常に背部に向けた力が働くこととなり、左右のバストを引き寄せる効果とは逆の結果を生むことになる。
【００５２】
そこで、この実施の形態３に係るブラジャー１では、図１２に示すように、左右のバストカップクロス２、３から反対側のバストカップクロスに向けて、２本のテープ体１０１、１０２がそれぞれ延設されている。左側のバストカップクロス２には、その人体中央側端の上部と中間部に、第１及び第２のテープ体１０１、１０２の一端部１０１ａ、１０２ａがそれぞれ縫着されており、上部に縫着された第１のテープ体１０１の他端側１０１ｂは、バストカップサイドクロス４、５の下端縁より僅か上部に沿って配設されているとともに、他方のテープ体１０２の端部１０２ｂは、バストカップクロス２の下端縁に沿って背面側に配設され、縫着されている。
【００５３】
また、上記ブラジャー１では、バストカップサイドクロス４、５が伸張しないように構成されており、当該バストカップサイドクロス４、５を第１及び第２のテープ体１０１、１０２によってセンター部に向けて引き寄せるように構成されている。なお、図１２中、１０３は薄いセンタークロスを、１０４は第１及び第２のテープ体１０１、１０２の位置ずれを防止する部材をそれぞれ示している。なお、図１２に示すブラジャー１は、ストラップレスタイプに構成しても良い。
【００５４】
さらに、図１３に示すように、左右のバストカップクロス２、３を、センター部から体側部に向けて、薄手なソフト部２００ａ、中手なセミソフト部２００ｂ、厚手なハード部２００ｃに分けて構成し、第１及び第２のテープ体１０１、１０２を、ハード部２００ｃに対応したバストカップサイドクロス４、５の下端縁４ａ、５ａに縫着するように構成しても良い。
【００５５】
その際、上記バストカップサイドクロス４、５は、図１４に示すように、その上端縁４ｂ、５ｂのみをバストカップクロス２、３及びバッククロス６、７に対して縫い止めし、その下端縁４ｃ、５ｃが半分フリーな状態となるように構成して、当該バストカップサイドクロス４、５によってバストサイドをより一層センター側に引き寄せ可能に構成しても良い。
【００５６】
また、上記ブラジャー１としては、図１５に示すように、左右のバストカップクロス２、３の中央部に挿通部材としての環状部材１０４を配置し、当該環状部材１０４には、バストカップクロス２、３の中央部に縫着された２本のテープ体１０１、１０２を反対側へと挿通するとともに、左右のテープ体１０１、１０２の端部をバッククロス６、７に上下に縫着された挿通部材としての２つのＵ字形状部材１０５に挿通するように挿通し、当該左右のテープ体１０１、１０２の端部１０１ｂ、１０２ｂを折り返して、左右のバストカップクロス２、３の上端部に縫着するように構成されている。
【００５７】
その結果、上記ブラジャー１では、左右のバストカップクロス２、３を中央部に引き寄せつつ、バストＢのバストカップサイドクロス４、５に相当する部分を、折り返したテープ体１０１、１０２によってセンター側に引き寄せるように構成されている。
【００５８】
また、このような作用を図８乃至図１１に示すようなガードル腹部、並びにヒップ部に応用することにより、より強制的なコントロール機能を創造することができる。
【００５９】
その基本構造はブラジャー１のバストカップサイドクロス４、５に準じ、腹部パネル並びにヒップ部等のエラスチック部のストレッチ性を、その他の身頃に順ずるレベル（ミドルレベル）とし、これに対するテープ体をよりハードとすると共に逆に短くデザインする事によりより強いパワーを構成することが望ましい。
【００６０】
その他の構成及び作用は、前記実施の形態１と同様であるので、その説明を省略する。
【００６１】
実施の形態４
図１６はこの発明の実施の形態４を示すものであり、前記実施の形態１と同一の部分には同一の符号を付して説明すると、この実施の形態４では、基礎衣料が、左右のバスト部を個別に且つ二重に覆う左右の表側身頃体と左右の内側身頃体とを備え、前記左右の内側身頃体の人体中央部側には、テープ体の一端部をそれぞれ連結するとともに、当該テープ体を人体中央部に配置された折り返し部材を介して、人体両側部に向けて折り返し、前記テープ体の他端部を前記左右の表側身頃体にそれぞれ固定するように構成されている。
【００６２】
すなわち、この実施の形態４に係るブラジャー１は、図１６に示すように、バストカップ体の移動量が大きくなるように構成されており、この実施の形態４では、人体前部の略１／２〜１／４の領域で最低１〜３ｃｍの移動を可能とするようになっている。
【００６３】
この実施の形態４に係るブラジャー１は、図１６に示すように、左右のブラジャー本体１１１、１１２を、そのサイド部で一体的に縫着された内側の身頃体１１１ａ、１１２ａと外側の身頃体１１１ｂ、１１２ｂとから二重に構成し、かつ外側の身頃体１１２ｂ、１１２ｂは、内側の身頃体１１１ａ、１１２ａよりもバストを覆う部分が小さく形成されている。上記左右のブラジャー本体１１１、１１２の中央部は、一体的に縫着されておらず、互いに別体としてフリーに構成されており、内側の身頃体１１１ａ、１１２ａの体側中央部には、それぞれ２本のテープ体１０１、１０２の端部が上下に縫着されている。これら２本のテープ体１０１、１０２は、図１７に示すように、左右のブラジャー本体１１１、１１２の間に配置された輪状部材１０３に折り返すように挿通されている。なお、図示例では、上方のテープ体１０１が下方のテープ体１０２と同じ幅か又は上方を細く形成しても良い。
【００６４】
そして、上記２本のテープ体１０１、１０２の他端部１０１ｂ、１０２ｂは、図１８に示すように、外側の身頃体の下端縁１１１ｂ、１１２ｂに沿って互いに平行に配設されているとともに、当該外側の身頃体１１１ｂ、１１２ｂの体側部乃至背面側において、フック等の連結具１０５によってそれぞれ折り返すように引っ掛けるように構成されている。
【００６５】
なお、上記ブラジャー１の背部は、左右のブラジャー本体１１１、１１２の移動量、並びにサイズ調整を容易とする構成とするのが望ましい。
【００６６】
また、上記左右のブラジャー本体１１１、１１２の連結具１０５に連接する輪状部テープ体は、図１８に示すように、背部を構成するテープ体より伸長力及び伸長率ともに高く設定することが望ましい。これによって、内側のブラジャー本体１１１ａ、１１２ａによるバストＢの前中心部への移動に加えて、バストサイドのサポート力を常に並行的に作用させることができる。
【００６７】
このように、上記実施の形態４に係るブラジャー１では、図１９乃至図２１に示すように、内側の身頃体の体側中央部に一端が縫着されたテープ体１０１，１０２によって、当該内側の身頃体１１１ａ、１１２ａの体側中央部をセンターに引き寄せる力を発生させることができ、バストｂを引き寄せるファンデーション機能を発揮しつつ、商品がハード化するのを防止し、着用感が優れ且つアウターのシルエットを損ねることがないようになっている。
【００６８】
実施の形態５
図２２はこの発明の実施の形態５を示すものであり、前記実施の形態と同一の部分には同一の符号を付して説明すると、この実施の形態５では、テープ体によって人体の周囲の１／４の領域を用いて中央部に引き寄せる力を作用させるように構成されている。
【００６９】
すなわち、上記実施の形態５では、人体中心部を接続点とする人体１／２の領域をべースとした回転運動であるが、この実施の形態５では、人体１／４の領域をべースとする回転運動を前提としたものである
【００７０】
更に説明すると、前記実施の形態４は、図２１（ａ）に示すように、人体左右の１／２の領域による回転運動によるものであるが、当該実施の形態５では、図２１（ｂ）に示すように、人体のアームピット部を回転運動の基点とし１／４の領域の回転運動によるものである。
【００７１】
この実施の形態５では、図２２及び図２３に示すように、内側のブラジャー本体１１１ａ、１１２ａのアームピット部に、伸縮性を有するストレッチクロス１１０を縫着することにより、当該ストレッチクロス１１０の伸張量をもって回転（移動量）とするもの。実施の形態４のバック連結具又は方式を当該アームピット部にデザインすることにより、全く同一の運動をデザインすることも可能である。
【００７２】
その他の構成及び作用は、前記実施の形態１と同様であるので、その説明を省略する。
【００７３】
実施の形態６
図２４はこの発明の実施の形態６を示すものであり、前記実施の形態と同一の部分には同一の符号を付して説明すると、テープ体の引き寄せる力を複数段階に調節可能に構成されている。
【００７４】
すなわち、上記実施の形態６では、図２４に示すように、テープ体が輪状部材で折り返した位置で、スナップフィット１１１、１１２によってセンターに引き寄せる力を複数段階（図示例では、３段階）に調節可能に構成されている。
【００７５】
その他の構成及び作用は、前記実施の形態と同様であるので、その説明を省略する。
【００７６】
実施の形態７
図２５乃至図２７はこの発明の実施の形態６を示すものであり、前記実施の形態と同一の部分には同一の符号を付して説明すると、この実施の形態７では、テープ体が人体の胴部を一周するように配設されている。
【００７７】
すなわち、上記実施の形態７では、図２５に示すように、左右のブラジャー本体１１１、１１２が一重であるが、当該左右のブラジャー本体１１１、１１２の中央部に、幅の広いテープ体１２１、１２２を一体的に構成し、当該テープ体１２１、１２２が人体の胸部を一周して反対側の左右の背面部１２３、１２４に連結されるように構成されている。
【００７８】
また、上記左右のブラジャー本体１１１、１１２の中央部に連結される各テープ体１２１、１２２の連結部は、図２５に示すように、スナップフィット１２５によって位置を調節可能に固定しても良い。
【００７９】
この実施の形態では、図２７に示すように、テープ体の移動量が、人体胸囲全域をもって対応することから最もコントロール量は大であると同時に、左右のブラジャー本体１１１、１１２を別個に構成する胸囲身頃体は、それぞれが胸囲に対して伸張力をもって固定されることから、移動を固定化するスナップ等のデザインは不要ではあるが、安心感を得るためにスナップフィット１２５等を設けることが好ましい。
【００８０】
その他の構成及び作用は、前記実施の形態１と同様であるので、その説明を省略する。
【００８１】
なお、本発明は、主にファンデーションに適用されるが、これに限定されるものではなく、全体的にソフトなデザインとし、アンダーウエアーや、インナータイプのアウター並びに水着等に対しても適用可能である。
【００８２】
また、製品の保形性等が要求される部分に対しては、モールド成型方式によって成型したパーツを組合わせても勿論良い。
【００８３】
また、ランジェリー的なアイテムとしては、オーガンジーテープ体を用いてもよい。
【００８４】
さらに、テープ体のずれを防止するためには、テープ体の必要な個所に滑り止め加工を施しても良い。
【００８５】
また、本発明では、図２８及び図２９に示すようなランジェリータイプや、アンダーウエア等のソフト性をもったものにも適用可能である。その際、図３０に示すように、リングを２つ組み合わせることで、長さを調節可能に構成しても良い。
【図面の簡単な説明】
【００８６】
【図１】図１はこの発明の実施の形態１に係る基礎衣料としてのブラジャーを示す構成図である。
【図２】図２はこの発明の実施の形態１に係る基礎衣料としてのブラジャーの要部を示す構成図である。
【図３】図３はこの発明の実施の形態１に係る基礎衣料としてのブラジャーの要部を示す断面模式図である。
【図４】図４はこの発明の実施の形態１に係る基礎衣料としてのブラジャーの要部を示す構成図である。
【図５】図５はこの発明の実施の形態１に係る基礎衣料としてのブラジャーの機能を示す説明図である。
【図６】図６はこの発明の実施の形態１に係る基礎衣料としてのブラジャーの機能を示す説明図である。
【図７】図７はこの発明の実施の形態１に係る基礎衣料としてのブラジャーの機能を示す説明図である。
【図８】図８はこの発明の実施の形態２に係る基礎衣料としてのガードルを示す構成図である。
【図９】図９はこの発明の実施の形態２に係る基礎衣料としてのガードルを示す構成図である。
【図１０】図１０はこの発明の実施の形態２に係る基礎衣料としてのガードルを示す構成図である。
【図１１】図１１はこの発明の実施の形態２に係る基礎衣料としてのガードルを示す構成図である。
【図１２】図１２はこの発明の実施の形態３に係る基礎衣料としてのブラジャーを示す構成図である。
【図１３】図１３はこの発明の実施の形態３に係る基礎衣料としてのブラジャーを示す構成図である。
【図１４】図１４はこの発明の実施の形態３に係る基礎衣料としてのブラジャーを示す構成図である。
【図１５】図１５はこの発明の実施の形態３に係る基礎衣料としてのブラジャーを示す構成図である。
【図１６】図１６はこの発明の実施の形態４に係る基礎衣料としてのブラジャーを示す構成図である。
【図１７】図１７はこの発明の実施の形態４に係る基礎衣料としてのブラジャーの要部を示す構成図である。
【図１８】図１８はこの発明の実施の形態４に係る基礎衣料としてのブラジャーの要部を示す構成図である。
【図１９】図１９はこの発明の実施の形態４に係る基礎衣料としてのブラジャーの作用を示す説明図である。
【図２０】図２０はこの発明の実施の形態４に係る基礎衣料としてのブラジャーの作用を示す説明図である。
【図２１】図２１はこの発明の実施の形態４に係る基礎衣料としてのブラジャーの作用を示す説明図である。
【図２２】図２２はこの発明の実施の形態４に係る基礎衣料としてのブラジャーを示す構成図である。
【図２３】図２３はこの発明の実施の形態４に係る基礎衣料としてのブラジャーの要部を示す構成図である。
【図２４】図２４はこの発明の実施の形態４に係る基礎衣料としてのブラジャーの要部を示す構成図である。
【図２５】図２５はこの発明の実施の形態５に係る基礎衣料としてのブラジャーを示す構成図である。
【図２６】図２６はこの発明の実施の形態５に係る基礎衣料としてのブラジャーを示す構成図である。
【図２７】図２７はこの発明の実施の形態５に係る基礎衣料としてのブラジャーの作用を示す説明図である。
【図２８】図２８はこの発明に係る基礎衣料としてのブラジャーの応用例を示す構成図である。
【図２９】図２９はこの発明に係る基礎衣料としてのブラジャーの他の応用例を示す構成図である。
【図３０】図３０は図２９に示す応用例の要部を示す構成図である。
【符号の説明】
【００８７】
１：ブラジャー、２，３：バストカップクロス、４，５：バストカップサイドクロス、６，７：バッククロス、８１，８２：テープ体。
【図１】
2007162146.tif 000003
【図２】
2007162146.tif 000004
【図３】
2007162146.tif 000005
【図４】
2007162146.tif 000006
【図５】
2007162146.tif 000007
【図６】
2007162146.tif 000008
【図７】
2007162146.tif 000009
【図８】
2007162146.tif 000010
【図９】
2007162146.tif 000011
【図１０】
2007162146.tif 000012
【図１１】
2007162146.tif 000013
【図１２】
2007162146.tif 000014
【図１３】
2007162146.tif 000015
【図１４】
2007162146.tif 000016
【図１５】
2007162146.tif 000017
【図１６】
2007162146.tif 000018
【図１７】
2007162146.tif 000019
【図１８】
2007162146.tif 000020
【図１９】
2007162146.tif 000021
【図２０】
2007162146.tif 000022
【図２１】
2007162146.tif 000023
【図２２】
2007162146.tif 000024
【図２３】
2007162146.tif 000025
【図２４】
2007162146.tif 000026
【図２５】
2007162146.tif 000027
【図２６】
2007162146.tif 000028
【図２７】
2007162146.tif 000029
【図２８】
2007162146.tif 000030
【図２９】
2007162146.tif 000031
【図３０】
2007162146.tif 000032